(57)【要約】【課題】複数台の冷却ファンの一部が停止したときの冷却効果を向上させる。【解決手段】増幅器に取り付けるフィンを冷却ファンによる空気流の方向と直角な方向に空気流通路ができるように、フィン２Ａ、２Ｂ、２Ｃのように分割する。又、冷却ファン４と冷却ファン５の吸引側で横方向の空気流が発生しないように遮蔽板８′を設置する。この構造によると、例えば冷却ファン５が停止したとき、空気流１０に吸引されることで図示の空気流１１、１２が発生し、冷却ファン５が受けもつフィンも冷却されるので、一部冷却ファン停止時の冷却効果を改善できる。【選択図】図１
2006237026.tif 000002
【特許請求の範囲】
【請求項１】
増幅器とその運転時に互いに同じ方向の空気流を生じる複数の冷却ファンと、これらの冷却ファンが生じる空気流と同じ方向にその放熱面をもつところの前記増幅器に取り付けられた複数のフィンとを有した増幅装置において、
前記複数台の冷却ファンの間の吸引側に冷却ファン間の空気流を止めるための遮蔽板を設けるとともに、
前記複数のフィンは、前記冷却ファンが生じる空気流の方向に対して直角な方向に１又は複数の空気流通路が生じるように複数段に分割されて成ることを特徴とする増幅装置。
【発明の詳細な説明】
【技術分野】
【０００１】
本発明は強制冷却構造を備えた増幅装置に係り、特に複数のファンを設けて強制冷却を行うようにした増幅装置に関するものである。
【背景技術】
【０００２】
通信装置等で大きな電力を消費する増幅装置には、発熱を防止して正常動作を行えるようにするための冷却構造が備えられており、特に送信用増幅装置等で大電力用のものでは冷却ファンを用いた強制冷却構造が用いられる。
【０００３】
図２は、２個の冷却ファンを備えた増幅装置の例を示しており、増幅器の本体１には冷却のためのフィン２がフィンカバー３に覆われて備えられている。冷却ファン４、５は上部に取り付けられ、下から上方向に向かう空気流を発生させてフィン２を冷却する。図示の空気流６は、冷却ファン４により発生されたものを示している。
【０００４】
また、特許文献１に開示された増幅装置では、発熱体である増幅器を複数台搭載できる柵の下部に複数個の冷却ファンを収納した増幅装置において、搭載可能な台数よりも少ない数の増幅器だけを実装した場合、その実装した増幅器の下部に位置する冷却ファンのみを駆動して効率よく冷却するための構造が示されている。即ち、駆動されている冷却ファンからの空気流が、実装されている増幅器の方へのみ流れ、実装されていない部分へ流れ出さないようにするための仕切り板を設けた構造を示している。
【特許文献１】特開２００３−２４９７８５号公報
【発明の開示】
【発明が解決しようとする課題】
【０００５】
図２に示した構造を持つ増幅装置の場合、一方の冷却ファンが、例えば冷却ファン５が故障等によりその動作を停止すると、動作中の冷却ファン４により生起された空気流６により図示矢印のような空気流７が発生する。この冷却ファン５内を逆流する空気流７のために、図２（正面図）に示した黒色部分のフィンを通る空気流が妨げられて冷却効率が著しく低下する。
【０００６】
図３は、前記した特許文献１の考え方を、図２のように上部に冷却ファンを配置した場合に適用した構造例で、２つの冷却ファンの空気流の通路を遮蔽板８で仕切ったものである。この構造によると、冷却ファン４の空気流６の通路は冷却ファン５のそれとは分離されているから、冷却ファン５の停止時に冷却ファン５内を逆流する空気流は発生しない。従って冷却ファン５の空気流通路上のフィンでは自然流による冷却が逆流のため阻害されなくなり、自然流による冷却が行われる。しかしこの状態ではファンによる強制冷却は行えないので、図示黒色部分のように、冷却ファン５の空気流通路に於ける冷却は不十分で改善が求められる。
【０００７】
本発明の目的は、一部の冷却ファンが停止してしまったときの冷却効果を向上できるようにした冷却構造を持つ増幅装置を提供することにある。
【課題を解決するための手段】
【０００８】
本発明は、増幅器とその運転時に互いに同じ方向の空気流を生じる複数の冷却ファンと、これらの冷却ファンが生じる空気流と同じ方向にその放熱面をもつところの前記増幅器に取り付けられた複数のフィンとを有した増幅装置において、
前記複数台の冷却ファンの間の吸引側に冷却ファン間の空気流を止めるための遮蔽板を設けるとともに、
前記複数のフィンは、前記冷却ファンが生じる空気流の方向に対して直角な方向に１又は複数の空気流通路が生じるように複数段に分割されて成ることを特徴とする増幅装置を開示する。
【発明の効果】
【０００９】
一部の冷却ファンが停止したとき、停止した冷却ファンを逆流する空気流及び当該冷却ファンにより生じるべき空気流のフィン入口側からの空気流が前記直角方向の空気流通路を経由して停止していない冷却ファンによって生じている空気流に合流するようになり、停止している冷却ファンが本来冷却すべきフィンの部分の冷却が当該冷却ファン停止中でも行える。これにより一部冷却ファン停止時の冷却効果が向上し、装置の信頼性向上及び保守作業の簡素化がはかれる。
【００１０】
以下、本発明の実施の形態を説明する。図１は、本発明の特徴とする冷却構造を備えた増幅装置の例を示すもので、増幅器１の熱を放散するために設けられたフィンを、上下方向の３個の段に別けて取り付け、各段のフィン２Ａと２Ｂの間及びフィン２Ｂと２Ｃの間に横方向の空気流の通路を設けている。また、遮蔽板８′は冷却ファン４、５の間にだけ設けて、上記横方向の空気流の通路をふさがない構成としている。なお、上下方向のフィン段数はここでは３段としたが、これは３段に限らない。
【００１１】
この図１の冷却構造において例えば冷却ファン５が故障等により停止した場合を考えると、冷却ファン５を逆方向に流入した空気流１２は、遮蔽板８′でさえぎられているから直接冷却ファン４方向へ吸引されずにフィン２Ｃの右側へ入り、フィン２Ｃと２Ｂの間の横方向の通路を左方向へ吸引され、冷却ファン４の回転により生じる空気流１０と合流するようになる。これによってフィン２Ｃ右方部分が冷却される。また冷却ファン５の下方向からフィン２Ａ右方部分へ入った空気流１１は、フィン２Ｂと２Ａの間の横方向の通路を左方へ吸引され、やはり冷却ファン４の回転により生じる空気流１０と合流するようになる。これによってフィン２Ａの右方部分が冷却される。
【００１２】
一方、冷却ファン５下方に位置するフィン２Ｂの右方部分は空気流が殆ど生じないので、黒塗りで図示したように冷却は十分行えない。また冷却ファン４の下側に位置するフィンは空気流１０で冷却されるが、上記のようにフィン２Ａ、２Ｃの右方部分を冷却して温度上昇した空気流が横方向の通路から合流するため、フィン２Ｃ左方部分も冷却効果が低下する。
【００１３】
以上のように、図１の冷却構造によると、図２、図３の構造と比べて、一部冷却ファンが停止したときに冷却効果がよくなる部分と低下する部分が生じるが、従来の図２、図３では全フィンのほぼ１／２の冷却効果が低下するのに対し、本発明の図１の場合にはほぼ２／６＝１／３の冷却効果低下となり、全体としては一部冷却ファン停止時の冷却効果低減を減らすことができる。
【図面の簡単な説明】
【００１４】
【図１】本発明の特徴とする冷却構造の例を示す図である。
【図２】従来の冷却構造の例を示す図である。
【図３】冷却ファン間に遮蔽板を設けた従来構造の例を示す図である。
【符号の説明】
【００１５】
１    増幅器
２Ａ、２Ｂ、２Ｃ    フィン
４、５    冷却ファン
８′    遮蔽板
１０、１１、１２    空気流
【図１】
2006237026.tif 000003
【図２】
2006237026.tif 000004
【図３】
2006237026.tif 000005